(57)【要約】【課題】受信装置において、デジタル方式の放送信号を検出する。【解決手段】ＦＦＴ２１は、放送局のチャンネル周波数について対称な第１サイドバンド４２および第２サイドバンド４３にデジタル変調成分を含む放送信号をフーリエ変換する。帯域判定部２４またはスペクトル判定部２６は、第１サイドバンド４２および第２サイドバンド４３に対して設定される検査帯域の帯域全体でのレベル比較に基づいて、受信したチャンネル周波数についてのデジタル変調成分の有無を判定する。【選択図】  図１
2013207766.tif 000002
【特許請求の範囲】
【請求項１】
放送局のチャンネル周波数について対称な第１周波数帯および第２周波数帯に、デジタル変調成分を含む放送信号を受信可能な受信装置であって、
受信信号をフーリエ変換するフーリエ変換部と、
フーリエ変換された受信信号が入力され、受信したチャンネル周波数についての前記第１周波数帯および前記第２周波数帯に対して設定される検査帯域の帯域全体でのレベル比較に基づいて、前記受信したチャンネル周波数についての前記デジタル変調成分の有無を判定する判定部と、
を有することを特徴とする受信装置。
【請求項２】
前記判定部は、
前記第１周波数帯を帯域とする第１検査帯域の帯域全体のレベルと、前記第２周波数帯を帯域とする第２検査帯域の帯域全体のレベルとのレベル差が、所定の範囲内であるか否かに基づいて判定する、
ことを特徴とする請求項１記載の受信装置。
【請求項３】
前記判定部は、
前記第１周波数帯部を検査帯域とし、検査帯域の帯域全体のレベルに対する各周波数成分のレベル差が、所定の範囲内であるか否かに基づいて判定する、
ことを特徴とする請求項１または２記載の受信装置。
【請求項４】
前記判定部は、
前記第１周波数帯を帯域とする第１検査帯域の帯域全体のレベルと、前記第２周波数帯を帯域とする第２検査帯域の帯域全体のレベルとのレベル差が、所定の範囲内であるか否かに基づいて判定する第１判定部と、
前記第１周波数帯部を検査帯域とし、検査帯域の帯域全体のレベルに対する各周波数成分のレベル差が、所定の範囲内であるか否かに基づいて判定する第２判定部と、
を有し、
前記第１判定部および前記第２判定部の少なくとも一方において所定の範囲内である場合、前記受信したチャンネル周波数について前記デジタル変調成分があると判定する、
ことを特徴とする請求項１から３のいずれか一項記載の受信装置。
【請求項５】
前記判定部は、さらに、
前記受信しようとするチャンネル周波数についての、前記第１周波数帯および前記第２周波数帯の少なくとも一方のレベルと閾値とを比較して判定する第３判定部を有し、
前記第３判定部で比較される周波数帯のレベルが前記閾値を超えない場合、前記第１判定部の判定結果および前記第２判定部の判定結果にかかわらず、前記受信したチャンネル周波数に前記デジタル変調成分が無いと判定する、
ことを特徴とする請求項４記載の受信装置。
【請求項６】
設定されたチャンネル周波数に対応する局部発信信号を出力する局部発信部と、
前記放送信号を含む放送電波を受信するアンテナの受信信号を前記局部発信信号により中間周波数信号へ変換して前記フーリエ変換部へ出力するミキサと、
前記中間周波数信号から、前記デジタル変調成分を復調するデコード部と、
受信可能なチャンネル周波数を探索するシーク処理を制御する制御部と、
を有し、
前記制御部は、
シーク対象のチャンネル周波数を前記局部発信部に設定し、
前記判定部が、設定したチャンネル周波数について前記デジタル変調成分がないと判定している場合、次のシーク対象のチャンネル周波数を前記局部発信部に設定し、
前記判定部が、設定したチャンネル周波数について前記デジタル変調成分があると判定している場合、前記デコード部に前記中間周波数信号を復調させ、
前記デコード部の復調により前記デジタル変調成分が得られる場合、シーク処理を終了して、シークしたチャンネル周波数の受信を開始させる、
ことを特徴とする請求項１から５のいずれか一項記載の受信装置。
【請求項７】
放送局のチャンネル周波数について対称な第１周波数帯および第２周波数帯に、デジタル変調成分を含む放送信号を受信可能な受信装置での放送信号の検出方法であって、
前記受信装置は、
受信信号をフーリエ変換するステップと、
フーリエ変換された受信信号について、受信したチャンネル周波数についての前記第１周波数帯および前記第２周波数帯に対して設定される検査帯域の帯域全体でのレベルを比較するステップと、
前記レベルの比較結果に基づいて、前記受信したチャンネル周波数についての前記デジタル変調成分の有無を判定するステップと、
を有することを特徴とする放送信号の検出方法。
【請求項８】
放送局のチャンネル周波数について対称な第１周波数帯および第２周波数帯に、デジタル変調成分を含む放送信号を受信可能な受信装置でのコンピュータにより実行されるプログラムであって、
前記コンピュータは、
受信信号をフーリエ変換する処理と、
フーリエ変換された受信信号について、受信したチャンネル周波数についての前記第１周波数帯および前記第２周波数帯に対して設定される検査帯域の帯域全体でのレベルを比較する処理と、
前記レベルの比較結果に基づいて、前記受信したチャンネル周波数についての前記デジタル変調成分の有無を判定する処理と、
を実行することを特徴とするプログラム。
【請求項９】
放送局のチャンネル周波数について対称な第１周波数帯および第２周波数帯に、デジタル変調成分を含む放送信号を受信可能な受信装置でのコンピュータにより実行されるプログラムを記録した記録媒体であって、
前記コンピュータは、
受信信号をフーリエ変換する処理と、
フーリエ変換された受信信号について、受信したチャンネル周波数についての前記第１周波数帯および前記第２周波数帯に対して設定される検査帯域の帯域全体でのレベルを比較する処理と、
前記レベルの比較結果に基づいて、前記受信したチャンネル周波数についての前記デジタル変調成分の有無を判定する処理と、
を実行することを特徴とするプログラムを記録したコンピュータ読取可能な記録媒体。
【発明の詳細な説明】
【技術分野】
【０００１】
本発明は、受信装置、放送信号の検出方法、プログラム、および記録媒体に関する。
【背景技術】
【０００２】
近年、ラジオ放送、テレビジョン放送などにおいて、放送のデジタル化が進んでいる（特許文献１）。
【先行技術文献】
【特許文献】
【０００３】
【特許文献１】特開２００５−００５８４８号公報
【発明の概要】
【発明が解決しようとする課題】
【０００４】
そして、たとえばＦＭ（Frequency Modulation）デジタルラジオ放送には、ＩＢＯＣ（In-Band On-Channel）方式がある。ＩＢＯＣ方式には、ハイブリット方式と、オールデジタル方式とがある。
ハイブリット方式の放送信号は、チャンネル周波数にアナログ放送を含む。よって、従来からあるアナログ放送の場合と同様にチャンネル周波数の信号成分を検出することにより、放送信号を検出できる。
しかしながら、オールデジタル方式の放送信号は、チャンネル周波数にアナログ放送を含まない。この場合、チャンネル周波数の信号成分を検出しても、放送信号を検出できない。
【０００５】
このように、受信装置では、デジタル方式の放送信号を検出できるようにすることが求められている。
【課題を解決するための手段】
【０００６】
請求項１に係る発明は、放送局のチャンネル周波数について対称な第１周波数帯および第２周波数帯に、デジタル変調成分を含む放送信号を受信可能な受信装置であって、受信信号をフーリエ変換するフーリエ変換部と、フーリエ変換された受信信号が入力され、受信したチャンネル周波数についての前記第１周波数帯および前記第２周波数帯に対して設定される検査帯域の帯域全体でのレベル比較に基づいて、前記受信したチャンネル周波数についての前記デジタル変調成分の有無を判定する判定部と、を有する受信装置である。
【０００７】
請求項７に係る発明は、放送局のチャンネル周波数について対称な第１周波数帯および第２周波数帯に、デジタル変調成分を含む放送信号を受信可能な受信装置での放送信号の検出方法であって、前記受信装置は、受信信号をフーリエ変換するステップと、フーリエ変換された受信信号について、受信したチャンネル周波数についての前記第１周波数帯および前記第２周波数帯に対して設定される検査帯域の帯域全体でのレベルを比較するステップと、前記レベルの比較結果に基づいて、前記受信したチャンネル周波数についての前記デジタル変調成分の有無を判定するステップと、を有する放送信号の検出方法である。
【０００８】
請求項８に係る発明は、放送局のチャンネル周波数について対称な第１周波数帯および第２周波数帯に、デジタル変調成分を含む放送信号を受信可能な受信装置でのコンピュータにより実行されるプログラムであって、前記コンピュータは、受信信号をフーリエ変換する処理と、フーリエ変換された受信信号について、受信したチャンネル周波数についての前記第１周波数帯および前記第２周波数帯に対して設定される検査帯域の帯域全体でのレベルを比較する処理と、前記レベルの比較結果に基づいて、前記受信したチャンネル周波数についての前記デジタル変調成分の有無を判定する処理と、を実行するプログラムである。
【０００９】
請求項９に係る発明は、放送局のチャンネル周波数について対称な第１周波数帯および第２周波数帯に、デジタル変調成分を含む放送信号を受信可能な受信装置でのコンピュータにより実行されるプログラムを記録した記録媒体であって、前記コンピュータは、受信信号をフーリエ変換する処理と、フーリエ変換された受信信号について、受信したチャンネル周波数についての前記第１周波数帯および前記第２周波数帯に対して設定される検査帯域の帯域全体でのレベルを比較する処理と、前記レベルの比較結果に基づいて、前記受信したチャンネル周波数についての前記デジタル変調成分の有無を判定する処理と、を実行するプログラムを記録したコンピュータ読取可能な記録媒体である。
【図面の簡単な説明】
【００１０】
【図１】図１は、本発明の実施形態に係るデジタルラジオ放送受信機を示す概略構成図である。
【図２】図２は、伝送方式と、ＩＢＯＣ方式のＦＭデジタルラジオ放送の周波数成分との関係を説明する図である。
【図３】図３は、帯域有無判定部および帯域判定部による、ＦＭデジタルラジオ放送の放送信号の検出方法の説明図である。
【図４】図４は、スペクトル判定部による、ＦＭデジタルラジオ放送の放送信号の検出方法の説明図である。
【図５】図５は、デジタルラジオ放送受信機のシーク動作のフローチャートである。
【発明を実施するための形態】
【００１１】
以下、本発明の実施形態に係る受信装置を、図面に基づいて説明する。
【００１２】
図１は、本発明の実施形態に係るデジタルラジオ放送受信機１を示す概略構成図である。
図１のデジタルラジオ放送受信機１は、ＦＭデジタルラジオ放送を受信し、放送電波で配信されたラジオコンテンツを再生する。デジタルラジオ放送受信機１は、たとえば自動車などの車両に搭載される。
【００１３】
ＦＭデジタルラジオ放送には、たとえばＩＢＯＣ方式、ＩＳＤＢ−Ｔｍｍ（Integrated Services Digital Broadcasting - Terrestrial for mobile multimedia）方式、ＩＳＤＢ−ＴＳＢ（Terrestrial for Sound Broadcasting）方式、ＤＡＢ（Digital Audio Broadcast）方式などがある。
【００１４】
ＩＢＯＣ方式のＦＭデジタルラジオ放送には、ハイブリッド方式と、オールデジタル方式がある。デジタルラジオ放送用の音声信号は、ＨＤＣ（High Definition Coding）により音声符号化され、ＯＦＤＭ（Orthogonal Frequency Divisional multiplexing）方式で伝送符号化される。
ハイブリッド方式は、アナログラジオ放送用の音声信号と、デジタルラジオ放送用の音声信号とを伝送する。
オールデジタル方式では、デジタルラジオ放送用の音声信号を伝送する。
このようにＩＢＯＣ方式では、従来のアナログラジオ放送用の音声信号に、デジタルラジオ放送用の音声信号を多重化できる。このため、ＩＢＯＣ方式では、従来のアナログラジオ放送を維持したまま、デジタルラジオ放送を追加できる。追加する放送局設備を必要最小限にできる。また、その後に、オールデジタル方式に容易に移行できる。
また、ＩＢＯＣ方式では、アナログ放送用のデジタルラジオ放送受信機１と、デジタル放送用のデジタルラジオ放送受信機１とに、放送電波を配信することが可能である。
【００１５】
図１のデジタルラジオ放送受信機１は、放送アンテナ１１、チューナ部１２、ＡＤ（Analog to Digital）変換部１３、デコード部１４、ＤＡ（Digital to Analog）変換部１５、出力部１６、スピーカ１７、および制御部１８を有する。また、図１のデジタルラジオ放送受信機１は、ＦＦＴ（Fast Fourier Transfer）２１、帯域レベル検出部２２、帯域有無判定部２３、帯域判定部２４、スペクトルレベル検出部２５、スペクトル判定部２６、論理和回路２７、および論理積回路２８、を有する。
【００１６】
放送アンテナ１１は、複数のラジオ放送による放送帯域の電波を受信できる広帯域特性を有するアンテナである。
チューナ部１２は、局部発信部１９、ミキサ２０を有する。
局部発信部１９は、たとえばＰＬＬ（Phase Locked Loop）回路により、制御部１８により設定された局部発信信号を生成する。
ミキサ２０は、局部発信部１９と、放送アンテナ１１とに接続される。ミキサ２０は、局部発信信号と、放送アンテナ１１の受信信号とを混合する。これにより、放送周波数帯の受信信号は、中間周波数信号へ変換される。
なお、デジタルラジオ放送受信機１が車両（移動体）に搭載される場合、放送アンテナ１１およびチューナ部１２を複数組で設けてよい。複数の放送アンテナ１１を使い分けることにより、空間ダイバーシティ、受信中のチャンネルシークが可能になる。
【００１７】
ＡＤ変換部１３は、チューナ部１２のミキサ２０に接続される。
ＡＤ変換部１３は、アナログの受信信号を、デジタル信号へ変換する。
【００１８】
デコード部１４は、ＡＤ変換部１３に接続される。
デコード部１４は、デジタル変換された受信信号（以下、受信データという。）をデコードする。デコード部１４は、たとえば、受信データから、受信した放送チャンネルの受信データを復号し、デジタルラジオ放送用の音声データを生成する。
【００１９】
ＤＡ変換部１５は、デコード部１４に接続される。
ＤＡ変換部１５は、デコードにより生成された音声データをアナログ信号へ変換する。
【００２０】
出力部１６は、ＤＡ変換部１５に接続される。
出力部１６は、ＤＡ変換部１５から入力されるアナログ信号により、スピーカ１７を駆動する。
【００２１】
制御部１８は、デジタルラジオ放送受信機１の動作を制御する。
制御部１８は、たとえばＤＳＰ（Digital Signal Processor）などのマイクロコンピュータ３１である。
マイクロコンピュータ３１は、ＡＤ変換部１３、ＣＰＵ３２（Central Processing Unit）、メモリ、ＤＡ変換部１５、およびこれらを接続するシステムバスを有する。
メモリは、たとえばＲＯＭ（Read Only Memory）、ＲＡＭ（Random Access Memory）で構成される。メモリは、プログラムを記憶する。
ＣＰＵ３２は、メモリに記憶されるプログラムを読み込んで実行する。
これにより、ＣＰＵ３２には、制御部１８、デコード部１４、ＦＦＴ２１、帯域レベル検出部２２、帯域有無判定部２３、帯域判定部２４、スペクトルレベル検出部２５、スペクトル判定部２６、論理和回路２７、および論理積回路２８、が実現される。
なお、メモリに記憶されるプログラムは、デジタルラジオ放送受信機１の出荷前に記憶されたものでも、出荷後に記憶されたものでもよい。出荷後に記憶されるプログラムは、たとえばＣＤ−ＲＯＭ（Compact Disc - Read Only Memory）のようなコンピュータ読取可能な記録媒体に記憶されていたものをインストールしたものであっても、インターネットなどの通信ネットワークを通じてサーバ装置からダウンロードしたものであってもよい。
また、ＣＰＵ３２に実現される複数の機能のうち、たとえば制御部１８は、別のマイクロコンピュータ３１に実現されてもよい。
【００２２】
ＦＭデジタルラジオ放送を受信する場合、制御部１８は、チューナ部１２の局部発信部１９に、受信するＦＭデジタルラジオ放送局のチャンネル周波数を設定する。
チューナ部１２は、該ＦＭデジタルラジオ放送局の放送電波に含まれる受信信号を中間周波数へ変換する。
デコード部１４は、該ＦＭデジタルラジオ放送局の放送電波に含まれる受信データを復号により生成する。
出力部１６は、該ＦＭデジタルラジオ放送局の放送電波の音声信号により、スピーカ１７を駆動する。
これにより、スピーカ１７から、受信設定したＦＭデジタルラジオ放送局のデジタルラジオ放送用の音声が出力される。
【００２３】
図２は、伝送方式と、ＩＢＯＣ方式のＦＭデジタルラジオ放送の周波数成分との関係を説明する図である。
図２（Ａ）は、アナログ方式のＦＭラジオ放送の周波数成分である。図２（Ｂ）は、ハイブリッド方式のＦＭデジタルラジオ放送の周波数成分である。図２（Ｃ）は、オールデジタル方式のＦＭデジタルラジオ放送の周波数成分である。横軸は、周波数である。縦軸は、各周波数でのスペクトルのレベルである。スペクトルのレベルは、電界強度に対応する。
【００２４】
アナログ方式のＦＭラジオ放送は、図２（Ａ）に示すように、アナログ放送成分４１を有する。
アナログ放送成分４１は、チャンネル周波数において最大の周波数スペクトルを有する。周波数シフトが生じている場合、周波数スペクトルのピークは、チャンネル周波数からずれる。
また、アナログ放送成分４１の周波数スペクトルは、チャンネル周波数を中心として、およそプラスマイナス数十ｋＨｚの周波数範囲でなだらかに減少する傾向にある。そのため、スペクトルのエンベロープは、方形にならない。
【００２５】
ハイブリッド方式のＦＭデジタルラジオ放送は、図２（Ｂ）に示すように、アナログ放送成分４１と、デジタル放送成分とを有する。
アナログ放送成分４１は、図２（Ａ）のアナログ方式のものと同じである。スペクトルのエンベロープは、山形になる。
デジタル放送成分は、アナログ放送成分４１についての、上下の周波数帯のサイドバンドの信号成分となる。
具体的には、チャンネル周波数の−２００ｋＨｚから−１００ｋＨｚまでの範囲の周波数帯である第１サイドバンド４２と、チャンネル周波数の＋１００ｋＨｚから＋２００ｋＨｚまでの範囲の周波数帯である第２サイドバンド４３と、になる。
ＯＦＤＭ方式などによりデジタル変調されたサイドバンドの信号成分は、図２（Ｂ）に示すように、略一定レベルになる。
【００２６】
オールデジタル方式のＦＭデジタルラジオ放送は、図２（Ｃ）に示すように、デジタル放送成分を有する。
デジタル放送成分は、図２（Ｂ）のデジタル放送成分と同様に、第１サイドバンド４２および第２サイドバンド４３で構成される。
【００２７】
ＦＭデジタルラジオを放送する放送局は、ハイブリッド方式またはオールデジタル方式を選択し、自局のチャンネル帯域を用いてＦＭデジタルラジオ放送電波を伝送する。
したがって、ＦＭデジタルラジオ放送の放送方式としてＩＢＯＣ方式を採用する国または地域では、複数の放送局のチャンネル周波数（ラジオ放送帯域）において、ハイブリッド方式の放送電波とオールデジタル方式の放送電波とが混在する。
【００２８】
仮にすべてのＦＭデジタルラジオ放送局が図２（Ｂ）のハイブリッド方式を採用する場合、デジタルラジオ放送受信機１は、チャンネル周波数に存在するアナログ放送成分４１の電界レベルを検出することにより、不知のチャンネル周波数をシークし、該シークしたチャンネル周波数のデジタルラジオ放送を受信できる。デジタルラジオ放送受信機１は、アナログラジオ放送受信機と同様のシーク方式で複数の周波数を順番に検索し、不知のチャンネル周波数のＦＭデジタルラジオ放送にシークストップできる。
これに対し、ＦＭデジタルラジオ放送局が図２（Ｃ）のオールデジタル方式を採用する場合、デジタルラジオ放送受信機１は、アナログ放送成分４１の電界レベルを検出することができない。デジタルラジオ放送受信機１は、アナログラジオ放送受信機と同様のシーク方式で、不知のチャンネル周波数のＦＭデジタルラジオ放送にシークストップできない。
【００２９】
このように、デジタルラジオ放送受信機１では、ハイブリッド方式のＦＭデジタルラジオ放送だけでなく、アナログ放送成分４１を含まない、オールデジタル方式でのデジタルラジオ放送についても、シークストップすることが求められる。
【００３０】
そこで、本実施形態では、図１に示すように、デジタルラジオ放送受信機１に、オールデジタル方式でのデジタルラジオ放送を検出する機能を設ける。
具体的には、ＦＦＴ２１、帯域レベル検出部２２、帯域有無判定部２３、帯域判定部２４、スペクトルレベル検出部２５、スペクトル判定部２６、論理和回路２７、および論理積回路２８、を設ける。
【００３１】
なお、デジタルラジオ放送受信機１では、オールデジタル方式でのデジタルラジオ放送を再生する機能がある。このため、シークする各周波数においてオールデジタル方式でのデジタルラジオ放送をデコードし、そのデコード結果に基づいてオールデジタル方式でのデジタルラジオ放送の有無を判断することができる。
しかしながら、このようにシーク対象の各周波数においてデジタルラジオ放送をデコードした場合、各周波数についてのデジタルラジオ放送の有無の判断が遅い。シークに多大な時間がかかる。
【００３２】
ＦＦＴ２１は、ＡＤ変換部１３に接続される。
ＦＦＴ２１は、受信データを周波数変換する。デジタル変換された受信信号を、周波数帯毎の成分に変換する。
ＦＦＴ２１は、受信しようとするチャンネル帯域について、周波数帯毎のレベルを生成する。
【００３３】
帯域レベル検出部２２は、ＦＦＴ２１に接続される。
帯域レベル検出部２２は、ＦＦＴ２１により生成された周波数帯毎のレベルを用いて、各サイドバンドの帯域全体でのレベルを検出する。
帯域レベル検出部２２は、たとえば、各サイドバンドの周波数帯域に含まれる複数の周波数スペクトルのレベルを加算する。または、平均値を演算する。
なお、各サイドバンドの帯域幅は、ＦＭデジタルラジオ放送の規格上、放送モードなどにより、若干変動する可能性がある。帯域レベル検出部２２は、ＦＭデジタルラジオ放送の規格において必ずサイドバンドが存在するとされている共通の帯域について、帯域全体でのレベルを演算すればよい。
【００３４】
帯域有無判定部２３は、帯域レベル検出部２２に接続される。
帯域有無判定部２３は、チャンネル帯域でのサイドバンドの有無を判定する。
帯域有無判定部２３は、サイドバンドのＯＦＤＭ信号成分、すなわちデジタル放送成分の有無を判定する。
帯域有無判定部２３は、たとえば、帯域レベル検出部２２により生成されたサイドバンドの帯域全体でのレベルを、所定の閾値ＴＨと比較する。帯域有無判定部２３は、第１サイドバンド４２および第２サイドバンド４３の少なくとも一方の帯域全体でのレベルについて、閾値ＴＨと比較する。
そして、比較したサイドバンドの帯域全体でのレベルが閾値ＴＨ以上である場合、帯域有無判定部２３は、論理レベル「１」を示す判定信号を出力する。
比較したサイドバンドの帯域全体でのレベルが閾値ＴＨより小さい場合、論理レベル「０」を示す判定信号を出力する。
【００３５】
たとえば、周波数変換後のｌｏｗｅｒ側の第１サイドバンド４２の帯域全体を、第１検査帯域とし、ｕｐｐｅｒ側の第２サイドバンド４３の帯域全体を、第２検査帯域とする。この各ＯＦＤＭ帯域は、チャンネル周波数の上下に離れたサイドバンドとなる。また、ＯＦＤＭ帯域は、チャンネル周波数の上下の１００ｋＨｚから２００ｋＨｚまでの周波数帯である。この第１検査帯域および第２検査帯域には、ＩＢＯＣ方式の仕様により必ずＯＦＤＭ信号成分が含まれる。ただし、ＯＦＤＭ帯域の帯域幅は、放送モードによって若干変動する。
帯域有無判定部２３は、たとえば第１検査帯域および第２検査帯域のいずれかの帯域全体でのレベルが閾値ＴＨを越えている場合、「１」を出力する。
閾値ＴＨは、デジタル復調が可能な電界レベルに基づいて決定すればよい。それ以下のレベルでは、デジタル復調できないので、ＦＭデジタルラジオ放送の有無を確認する必要がない。
【００３６】
帯域判定部２４は、帯域レベル検出部２２に接続される。
帯域判定部２４は、一対のサイドバンドの帯域全体でのレベル差に基づいて、デジタル放送成分の有無を判定する。ＩＢＯＣ方式では、各サイドバンドにＯＦＤＭ信号成分が含まれるため、第１検査帯域のレベルと第２検査帯域のレベルとがほぼ同じになる。帯域判定部２４は、これを利用して、一対のＯＦＤＭ信号成分による一対のサイドバンドの有無を判断する。
【００３７】
たとえば、帯域判定部２４は、第１検査帯域（第１サイドバンド４２）の帯域全体のレベルと、第２検査帯域（第２サイドバンド４３）の帯域全体のレベルとを演算し、さらにこれらのレベル差を演算する。
帯域判定部２４は、演算したサイドバンド同士の帯域全体でのレベル差と、所定の許容誤差と比較する。
サイドバンド同士の帯域全体でのレベル差が許容誤差以下である場合、帯域判定部２４は、論理レベル「１」を示す第１比較信号を出力する。
サイドバンド同士の帯域全体でのレベル差が許容誤差より大きい場合、帯域判定部２４は、論理レベル「０」を示す第１比較信号を出力する。
許容誤差は、フェージング等を考慮し、たとえば３ｄＢ程度と緩く設定すればよい。
【００３８】
スペクトルレベル検出部２５は、ＦＦＴ２１に接続される。
スペクトルレベル検出部２５は、ＦＦＴ２１により生成された周波数帯毎のレベルを用いて、各サイドバンドに含まれる複数の周波数スペクトルのレベルを検出する。
【００３９】
スペクトル判定部２６は、スペクトルレベル検出部２５に接続される。
スペクトル判定部２６は、サイドバンド内での周波数スペクトルのレベル差に基づいて、デジタル放送成分の有無を判定する。ＩＢＯＣ方式では、サイドバンドにＯＦＤＭ信号成分が含まれるため、サイドバンド内での複数の周波数スペクトルは、ほぼ同じになる。スペクトル判定部２６は、これを利用して、ＯＦＤＭ信号成分のサイドバンドの有無を判定する。
【００４０】
たとえば、第１サイドバンド４２を第３検査帯域とする。
スペクトル判定部２６は、第３検査帯域の帯域全体の平均レベルを演算し、さらに平均レベルに対する、各周波数スペクトルのレベル差を演算する。
そして、第３検査帯域の全てのスペクトルのたとえば７０％が、平均レベルに対して許容誤差以下である場合、帯域判定部２４は、論理レベル「１」を示す第２比較信号を出力する。
それ以外の場合、帯域判定部２４は、論理レベル「０」を示す第２比較信号を出力する。
許容誤差は、フェージング等を考慮し、たとえば３ｄＢ程度と緩く設定すればよい。
【００４１】
なお、本実施形態において、各サイドバンドには、ＯＦＤＭ信号成分が含まれる。
ＯＦＤＭによる複数の周波数スペクトルは、レベルが一定に揃わない可能性がある。
このような場合、スペクトル判定部２６は、各周波数スペクトルについて、たとえば１００ミリ秒程度の所定の短期間での時間平均レベルを演算すればよい。これにより、各周波数のスペクトルのレベルが平均化される。ＯＦＤＭによる複数のスペクトルは、時間平均化されることにより、基本的にほぼ同じレベルに揃う。
【００４２】
この他にもたとえば、スペクトル判定部２６は、第３検査帯域の複数のスペクトルについて、最大のレベルと最小のレベルとのレベル差を演算し、このレベル差と許容誤差とを比較してもよい。
各サイドバンドでのレベル差が許容誤差以下である場合、帯域判定部２４は、論理レベル「１」を示す第２比較信号を出力する。
各サイドバンドでのレベル差が許容誤差より大きい場合、帯域判定部２４は、論理レベル「０」を示す第２比較信号を出力する。
【００４３】
論理和回路２７は、帯域判定部２４とスペクトル判定部２６とに接続される。
論理和回路２７は、二入力一出力の論理和回路２７である。
論理和回路２７は、第１比較信号および第２比較信号の少なくとも一方が論理レベル「１」である場合、論理レベル「１」の論理和信号を出力する。
第１比較信号および第２比較信号が共に論理レベル「０」である場合、論理レベル「０」の論理和信号を出力する。
【００４４】
論理積回路２８は、帯域有無判定部２３と論理和回路２７とに接続される。
論理積回路２８は、二入力一出力の論理積回路２８である。
論理積回路２８は、論理和信号および判定信号が共に論理レベル「１」である場合、論理レベル「１」の論理積信号を出力する。
論理和信号および判定信号の少なくとも一方が論理レベル「０」である場合、論理レベル「０」の論理積信号を出力する。
【００４５】
論理積回路２８は、制御部１８へ論理積信号を出力する。
制御部１８は、この他にもたとえば、チューナ部１２の局部発信部１９、デコード部１４に接続される。
制御部１８は、チャンネルシーク動作を実行する。
【００４６】
次に、以上の構成によるデジタルラジオ放送受信機１での、オールデジタル方式のデジタルラジオ放送の検出方法を詳しく説明する。
【００４７】
図３は、帯域有無判定部２３および帯域判定部２４による、ＦＭデジタルラジオ放送の放送信号の検出方法の説明図である。
図３（Ａ）には、オールデジタル方式のＦＭデジタルラジオ放送の周波数成分が図示されている。図３（Ｂ）は、アナログ方式の第１放送信号と、第１放送信号に隣接するアナログ方式の第２放送信号と、が図示されている。横軸は、周波数である。縦軸は、電界強度などのレベルである。
【００４８】
図３（Ａ）のオールデジタル方式のＦＭデジタルラジオ放送は、第１サイドバンド４２と、第２サイドバンド４３とを有する。
第１サイドバンド４２は、チャンネル周波数の−２００ｋＨｚから−１００ｋＨｚまでの範囲の周波数帯である。第１サイドバンド４２のレベルは、略一定に揃っている。
第２サイドバンド４３は、チャンネル周波数の＋１００ｋＨｚから＋２００ｋＨｚまでの範囲の周波数帯である。第２サイドバンド４３でのレベルは、略一定に揃っている。
また、第１サイドバンド４２の全体のレベルと、第２サイドバンド４３の全体のレベルとは、略一定に揃っている。
【００４９】
そして、図３（Ａ）に示すように、帯域有無判定部２３は、第１検査帯域（第１サイドバンド４２）の帯域全体のレベルまたは第２検査帯域（第２サイドバンド４３）の帯域全体のレベルと、閾値ＴＨと、を比較する。
ここで、閾値ＴＨを高くすれば、帯域有無判定部２３は、ＦＭデジタルラジオ放送の有無を検出できる。また、帯域有無判定部２３の判定結果のみにより、ＦＭデジタルラジオ放送の有無を特定してもよいとも考えられる。
しかしながら、放送局から離れた遠方において電界強度が低下したＦＭデジタルラジオ放送を受信することを考慮した場合、閾値ＴＨは、可能な限り低くしたい。閾値ＴＨは、緩い値に設定したい。
このため、閾値ＴＨは、ノイズ成分と区別可能な程度に低く設定する。閾値ＴＨはデジタル復調が可能な最低限の電界レベルに設定する。
【００５０】
また、図３（Ｂ）に示すように複数のアナログ方式の放送信号が隣接している場合、帯域有無判定部２３は、複数のアナログ方式の放送信号を誤ってＦＭデジタルラジオ放送であると判断する可能性がある。
たとえば第１のアナログ放送信号の帯域全体でのレベルと、これに隣接する第２のアナログ放送信号の帯域全体でのレベルとが閾値ＴＨより大きくなる場合、帯域有無判定部２３は、この第１のアナログ放送信号および第２のアナログ放送信号を、誤ってＦＭデジタルラジオ放送の一対のサイドバンドであると判断する可能性がある。
【００５１】
そこで、本実施形態では、帯域判定部２４の判定を併用する。
ＦＭデジタルラジオ放送では、第１サイドバンド４２のレベルと、第２サイドバンド４３のレベルとがほぼ同じレベルで受信される。この特徴を利用する。
帯域判定部２４は、図３（Ａ）に示すように、第１検査帯域（第１サイドバンド４２）の帯域全体でのレベルと、第２検査帯域（第２サイドバンド４３）の帯域全体でのレベルとの差分が、許容誤差以下であるか否かを判定する。サイドバンド同士の帯域全体でのレベル差が許容誤差以下である場合、論理レベル「１」を出力する。
これにより、図３（Ｂ）にあるように、アナログ方式の第１放送信号の帯域全体でのレベルと、アナログ方式の第２放送信号の帯域全体でのレベルとの間に、全体的なレベル差が生じている場合、帯域判定部２４は、これを誤ってＦＭデジタルラジオ放送であると判断しない。
なお、帯域判定部２４が使用する許容誤差は、フェージングなどを考慮して、やや甘めに設定してよい。たとえば３から５ｄＢに設定してよい。
【００５２】
さらに、本実施形態では、スペクトル判定部２６の判定を併用する。
図４は、スペクトル判定部２６による、ＦＭデジタルラジオ放送の放送信号の検出方法の説明図である。
図４（Ａ）には、オールデジタル方式の放送信号のうち、第１サイドバンド４２が図示されている。図４（Ｂ）は、アナログ方式の放送信号が図示されている。横軸は、周波数である。縦軸は、電界強度などのレベルである。
【００５３】
そして、図４（Ａ）に示すように、スペクトル判定部２６は、第１サイドバンド４２を、第３検査帯域とする。
スペクトル判定部２６は、第３検査帯域の平均レベルに対する複数のスペクトルのレベルが、所定の許容範囲内であるか否かを判定する。
これにより、図４（Ｂ）のアナログ方式の放送信号のように第３検査帯域において大きなレベル差が生じている場合、スペクトル判定部２６は、これを誤ってＦＭデジタルラジオ放送であると判断しない。
なお、スペクトル判定部２６での許容範囲は、フェージングなどを考慮して、やや甘めに設定してよい。たとえば３から５ｄＢでよい。
【００５４】
このように、本実施形態では、帯域有無判定部２３と、帯域判定部２４およびスペクトル判定部２６とを併用する。
これにより、帯域有無判定部２３での閾値ＴＨを低くして放送電波の遠方での受信を可能とすることができる。
しかも、図３（Ｂ）にあるように隣接する２つのアナログ方式の放送電波を、ＦＭデジタルラジオ放送の一対のサイドバンドとして誤って判断したり、図４（Ｂ）のアナログ方式の放送電波を、ＦＭデジタルラジオ放送の１つのサイドバンドとして誤って判断したり、し難くなる。
【００５５】
また、本実施形態では、帯域有無判定部２３と、帯域判定部２４と、スペクトル判定部２６との組み合わせにより、ＦＭデジタルラジオ放送の有無を判断する。
よって、帯域有無判定部２３の閾値ＴＨ、帯域判定部２４の許容誤差、およびスペクトル判定部２６の許容誤差のすべてを、フェージング等を考慮した緩めの設定値としても、その全体の組み合わせにより、ＦＭデジタルラジオ放送の有無を、誤りが少ない高い確度で検出できる。
【００５６】
次に、図１のデジタルラジオ放送受信機１による全体的なシーク動作を説明する。
図５は、デジタルラジオ放送受信機１のシーク動作のフローチャートである。
【００５７】
制御部１８は、シーク動作を開始する（ステップＳＴ１）。
制御部１８は、たとえば図示外のデジタルラジオ放送受信機１の操作部の操作に基づいて、シーク動作を開始する。
【００５８】
シーク動作の最初において、制御部１８は、検索するチャンネル周波数をチューナ部１２に設定する（ステップＳＴ２）。
ＡＤ変換部１３は、チューナ部１２が出力した設定されたチャンネル周波数での受信データを出力する。ＦＦＴ２１は、受信データを周波数変換する。帯域レベル検出部２２は、設定されたチャンネル周波数についての、各サイドバンドの全体的なレベルを検出する。帯域有無判定部２３は、サイドバンドの有無を判定する。
帯域判定部２４は、第１サイドバンド４２の全体レベルと第２サイドバンド４３の全体レベルとのレベル差を演算し、許容誤差と比較する。
スペクトルレベル検出部２５は、各サイドバンドを分割する複数の微小帯域のレベルを検出する。スペクトル判定部２６は、各サイドバンドについての複数の微小帯域の間でのレベル差に基づいて、サイドバンドであるか否かを判断する。
論理和回路２７は、帯域判定部２４の判定結果と、スペクトル判定部２６の判定結果との論理和を演算する。論理積回路２８は、帯域有無判定部２３と論理和回路２７との論理積を演算する。
【００５９】
制御部１８には、論理積回路２８が接続される。
制御部１８は、論理積回路２８から入力される論理積の値に基づいて、設定したチャンネル周波数に、ＦＭデジタルラジオ放送が検波されたか否かを判断する。具体的には、ＯＦＤＭ成分があるか否かを判断する（ステップＳＴ３）。
制御部１８は、論理積信号が論理レベル「０」である場合、ＯＦＤＭ成分がないと判断する。
【００６０】
ＯＦＤＭ成分がない場合、制御部１８は、次のシーク対象のチャンネル周波数をチューナ部１２に設定する。制御部１８は、次のチャンネル周波数について、以上の処理を繰り返す（ステップＳＴ２〜ＳＴ３）。
【００６１】
これに対し、論理積信号が論理レベル「１」である場合、制御部１８は、ＯＦＤＭ成分があると判断する。制御部１８は、シークストップし、検波したＦＭデジタルラジオ放送のデコードが可能であるか否かを確認する（ステップＳＴ４）。
具体的には、制御部１８は、デコード部１４に、検波された受信信号についてのデコードを指示する。
デコード部１４は、受信データから、受信した放送チャンネルの受信データを復号し、デジタルラジオ放送用の音声データを生成する。
音声データが得られた場合、デコード部１４は、制御部１８にデコード可能を示すデコード結果信号を出力する。
音声データが得られない場合、デコード部１４は、制御部１８にデコード不可を示すデコード結果信号を出力する。
【００６２】
制御部１８は、デコード部１４にデコードを指示した後、所定のデコード処理期間で待つ（ステップＳＴ５）。
本実施形態では、制御部１８は、たとえば１秒間待つ。
【００６３】
デコード時間を待った後、制御部１８は、設定したチャンネル周波数について、ＦＭデジタルラジオ放送の有無を判断する（ステップＳＴ６）。
制御部１８は、デコード部１４から入力されるデコード結果信号に基づいて、ＦＭデジタルラジオ放送の有無の最終判断を実行する。
【００６４】
デコード不可を示すデコード結果信号が入力されている場合、制御部１８は、ＦＭデジタルラジオ放送が無いと判断する。
制御部１８は、次のシーク対象のチャンネル周波数をチューナ部１２に設定する。制御部１８は、次のチャンネル周波数について、以上の処理を繰り返す（ステップＳＴ２〜ＳＴ６）。
【００６５】
これに対し、デコード可能を示すデコード結果信号が入力されている場合、制御部１８は、ＦＭデジタルラジオ放送があると判断する。
制御部１８は、シーク処理を終了する。制御部１８は、チューナ部１２に設定したチャンネル周波数を変更しない。
制御部１８は、シークしたＦＭデジタルラジオ放送の受信を開始する（ステップＳＴ７）。
【００６６】
以上のように、本実施形態では、ＦＦＴ２１により、シークする周波数の放送信号をフーリエ変換する。そして、たとえば帯域判定部２４は、第１サイドバンド４２の帯域全体のレベルと第２サイドバンド４３の帯域全体のレベルとを比較し、デジタル放送成分の有無を判定する。
よって、制御部１８は、この帯域判定部２４などの判定結果に基づいて、シークした周波数についてのＦＭデジタルラジオ放送の有無を判断できる。ＦＭデジタルラジオ放送の有無が不明であるチャンネル周波数について、該放送の有無を判断できる。アナログ放送成分４１を含まないオールデジタル方式のＦＭデジタルラジオ放送について、その放送の有無を判断できる。
【００６７】
また、たとえば帯域判定部２４は、第１サイドバンド４２（第１検査帯域）の帯域全体のレベルと第２サイドバンド４３（第２検査帯域）の帯域全体のレベルとのレベル差に基づいて、デジタル放送成分の有無を判定する。
よって、シークした受信チャンネルのデコード結果に基づいてＦＭデジタルラジオ放送の有無を判断する場合と比べて、短時間でＦＭデジタルラジオ放送の有無を判断できる。シーク対象の各周波数での判断時間を、デコード処理に必要になる約１秒から、数十ミリ秒へ短縮できる。
【００６８】
しかも、帯域判定部２４は、一対のサイドバンドの帯域全体でのレベル差により判断する。帯域判定部２４は、サイドバンドにノイズ成分が含まれていたとしても、そのノイズ成分に影響されることなく、デジタル放送成分の有無を正しく判定する。
これに対し、仮にたとえば一対のサイドバンドの周波数スペクトル同士を比較してデジタル放送成分の有無を判定する場合、比較する該周波数スペクトルにノイズ成分が含まれることにより、デジタル放送成分の有無を誤って判断する。
【００６９】
以上の実施形態は、本発明の好適な実施形態の例であるが、本発明は、これに限定されるものではなく、発明の要旨を逸脱しない範囲において種々の変形または変更が可能である。
【００７０】
たとえば上記実施形態では、帯域判定部２４は、第１サイドバンド４２（第１検査帯域）の帯域全体のレベルと、第２サイドバンド４３（第２検査帯域）の帯域全体のレベルとのレベル差に基づいて、デジタル放送成分の有無を判定している。
デジタル放送では、一般的に、第１サイドバンド４２および第２サイドバンド４３はほぼ一定のレベルにあるため、帯域判定部２４は、このような判定により一対のサイドバンドの有無を判断できる。
ただし、ＦＭデジタルラジオ放送に隣接してアナログ方式の放送局が存在する場合、その隣接局のアナログ信号成分により、第１サイドバンド４２の帯域全体のレベルと、第２サイドバンド４３の帯域全体のレベルとの間に、大きなレベル差が発生することがある。
この場合、帯域判定部２４は、第１サイドバンド４２（第１検査帯域）および第２サイドバンド４３（第２検査帯域）の両方のレベルがある閾値を越えた場合に、デジタル放送成分があると判定してよい。
【００７１】
上記実施形態は、本発明を、ＦＭデジタルラジオ放送受信機１に適用した例である。
この他にもたとえば、受信装置には、ＡＭ（Amplitude Modulation）デジタルラジオ放送を受信するもの、デジタルテレビジョン放送を受信するもの、インターネットなどの通信ネットワークを介して放送信号を受信するものがある。
また、受信装置は、携帯電話端末、多機能携帯端末、ナビゲーション装置などでもよい。
【符号の説明】
【００７２】
１  デジタルラジオ放送受信機（受信装置）
１４  デコード部
１８  制御部
１９  局部発信部
２０  ミキサ
２１  ＦＦＴ（フーリエ変換部）
２３  帯域有無判定部（第３判定部）
２４  帯域判定部（第１判定部）
２６  スペクトル判定部（第２判定部）
４２  第１サイドバンド（第１周波数帯）
４３  第２サイドバンド（第２周波数帯）
【図１】
2013207766.tif 000003
【図２】
2013207766.tif 000004
【図３】
2013207766.tif 000005
【図４】
2013207766.tif 000006
【図５】
2013207766.tif 000007